(57)【特許請求の範囲】
【請求項１】
筒状のバレルに、ビットが挿着される筒状のツールホルダを同軸で螺合させ、互いに対向するように夫々に形成された突き合わせ端部同士を当接させて所定のトルクで締め付けてなる電動工具におけるハウジングの連結構造であって、
前記両突き合わせ端部間に、前記バレル及びツールホルダより軟質で、前記締め付け時に前記両突き合わせ端部の押圧により塑性変形する真鍮製若しくはアルミニウム製の中間体を配置したことを特徴とする電動工具におけるハウジングの連結構造。
【請求項２】
中間体を、両突き合わせ端部の全周に亘って当接可能なリング体とした請求項１に記載の電動工具におけるハウジングの連結構造。
【発明の詳細な説明】
【０００１】
【発明の属する技術分野】
本発明は、電動ハンマーやハンマードリル等の電動工具において、バレルとツールホルダ等の筒状ハウジング同士を連結する連結構造に関する。
【０００２】
【従来の技術】
図６は、電動ハンマー１の先端部分の断面説明図で、打撃機構を内蔵する筒状のバレル４には、ビット１８を挿着する同じく筒状のツールホルダ６が同軸で連結されている。このバレル４とツールホルダ６との連結は、バレル４の内周に形成された雌ネジ部１３に、ツールホルダ６の外周に形成された雄ネジ部１５を、バレル４の突き合わせ端部となる先端部１４がツールホルダ６の突き合わせ端部となる座部１６に当接するまでねじ込み、一定のトルクで締め付けるものである。尚、２１は先端部１４と座部１６との間をシールするＯリングである。
【０００３】
【発明が解決しようとする課題】
一方、ビット１８は、ツールホルダ６への挿着部１９が断面正六角形を呈してツールホルダ６側の同形状の挿着孔７との嵌合となっているため、この挿着孔７の回転方向の角度をバレル４に対して適正に合わせないと、図４のように締め終わりの角度がずれを起こす。よって、ビット１８は勿論、ツールホルダ６に一体に装着されるツールリテーナ１１の向きも回転方向にずれて、ビット１８がタガネ等の方向性を有する場合は使い勝手が悪くなる。そこで従来は、締め終わりにツールホルダ６が適正な角度となるように雌ネジ部１３と雄ネジ部１５との切り始めの位置を設定することで、バレル４に対するツールホルダ６の位置決めを図っていたが、ネジ切りの精度が必要となる上、誤差の発生もあり得るから、結局位置決めが不適正となるおそれは完全に解消できない。
【０００４】
そこで、請求項１に記載の発明は、簡単な構成で、ネジ切りの精度に拘わりなくバレルとツールホルダとを常に回転方向に適正な角度で連結可能として、使い勝手を損なわず、製造工程の簡略化も実現できる電動工具におけるハウジングの連結構造を提供することを目的としたものである。
【０００５】
【課題を解決するための手段】
上記目的を達成するために、請求項１に記載の発明は、両突き合わせ端部間に、バレル及びツールホルダより軟質で、締め付け時に両突き合わせ端部の押圧により塑性変形する真鍮製若しくはアルミニウム製の中間体を配置したことを特徴とするものである。
請求項２に記載の発明は、請求項１の目的に加えて、中間体をシール部材に兼用して構成の合理化を図るために、中間体を、両突き合わせ端部の全周に亘って当接可能なリング体としたものである。
【０００６】
【発明の実施の形態】
以下、本発明の実施の形態を図面に基づいて説明する。
図１に示す電動ハンマー１は、図６で説明した従来のものと基本的構成は同じである。２はモータを内蔵するモータハウジングで、ここには、モータの回転をピストンの往復動に変換するクランク機構を内蔵したクランクハウジング３がＬ字状に連結されている。又、クランクハウジング３の前方（図１の右側）には、打撃機構を内蔵したシリンダを把持する一方の筒状ハウジングとしてのバレル４がボルト５，５・・で固定され、バレル４の前方に、ビット１８を挿着する他方の筒状ハウジングとしてのツールホルダ６が同軸で連結されている。８はモータハウジング２の後方に連設されるハンドル、９はバレル４に装着されるグリップ、１０はバレル４に外装されるバレルカバーである。更に、図２，３に示すように、ツールホルダ６に形成されるビット１８の挿着孔７は、ビット１８の挿着部１９と同じ断面正六角形状を呈しており、ツールホルダ６に挿着されたビット１８は回転規制されて前後移動のみが可能となるが、ツールホルダ６には、ビット１８の円形部２０が貫通する切欠き１２を有したツールリテーナ１１が装着されて、ビット１８の飛び出しを規制している。
【０００７】
そして、バレル４とツールホルダ６との連結は、バレル４の前端内周に形成された雌ネジ部１３と、ツールホルダ６の後端外周に形成された雄ネジ部１５との螺合によっており、バレル４の前端とツールホルダ６における雄ネジ部１５の前方とには、突き合わせ端部としての先端部１４と座部１６とが夫々周設されて、雄ネジ部１５を雌ネジ部１３にねじ込むと、先端部１４と座部１６とが互いに当接可能となっている。又、１７は先端部１４と座部１６との間に介在される真鍮製のリングで、バレル４とツールホルダ６とは鋼製であるから、両者に挟まれるリング１７の方が軟質である。
【０００８】
以上の如く構成された電動ハンマー１においては、バレル４とツールホルダ６とを連結する場合、ツールホルダ６の雄ネジ部１５にリング１７を外装させ、その状態で雄ネジ部１５をバレル４の雌ネジ部１３に螺合させる。すると、バレル４の先端部１４とツールホルダ６の座部１６とがリング１７を挟んで停止するため、そのまま所定の締付トルクまで締め付けると、バレル４とツールホルダ６との間で押圧されるリング１７が塑性変形する。そして、締付トルクに到達した際にツールホルダ６の挿着孔７の回転方向の角度が図４のようにずれていた場合は、そのまま締付を継続すれば、リング１７の塑性変形でツールホルダ６の更なる回転を許容するため、図２，３のように正六角形の挿着孔７の平行な一組の辺が上下に位置する適正な角度となるまでツールホルダ６をねじ込み可能となる。
【０００９】
ちなみに、図５は、締付トルクに対してツールホルダ６が回転を許容される角度を示すグラフで、グラフａがリング１７の厚さ３．０mmの場合、グラフｂがリング１７の厚さ５．０mmの場合、そしてグラフｃがリング１７を用いない場合を夫々示す。締付トルクが設定値２２００kgfcm 〜２８００kgfcm の範囲において、リング１７がないグラフｃでは、許容される角度は約６〜７°に過ぎず、締付トルクを大きくしても約１０°と小さいままとなるが、リング１７を設けたグラフａ，ｂでは、同じ締付トルクでも約２０°までは修正可能となっており、この修正可能な角度は締付トルクを大きくするほど大きくなることがわかる（締付トルク４０００kgfcm を超えると４０°以上）。
【００１０】
このように電動ハンマー１においては、バレル４とツールホルダ６との間に軟質のリング１７を介在させる簡単な構成で、ツールホルダ６の挿着孔７の角度に回転方向でずれが生じても、リング１７の塑性変形に伴う回転の許容により、ツールホルダ６の挿着孔７が適正な角度となるように位置決め可能となる。よって、雌ネジ部１３と雄ネジ部１５とのネジ切りを締め終わりの挿着孔７の角度を考慮して設定する必要がなくなり、製造工程が簡略化する。又、挿着孔７の位置決めにより、常に適正な角度でビット１８を挿着可能となるから、電動ハンマー１の使い勝手を損なうこともない。
更にここでは、塑性変形するリング１７が互いに対向する先端部１４と座部１６との全周に密着するため、バレル４とツールホルダ６との間のシール性も確保でき、図６で示したＯリング２１等のシール部材を省略してリング１７で兼用可能な合理的な構成となる。
【００１１】
尚、中間体は、上記リング１７のようなリング体に限らず、Ｃ状や端部が重なる不連続体であっても良く、又、リング１７等の中間体を１枚のみ配置するにとどまらず、複数枚重ねて連結することもできる。更に材質も、真鍮製以外に前後に位置する筒状ハウジングより軟質で、締付時に塑性変形するものであれば、アルミニウム製等も採用可能である。
そして、上記形態では、バレル４が雌ネジ、ツールホルダ６が雄ネジとなっているが、これと逆でも差し支えなく、中間体を設ける位置も、雄ネジ側に外装する上記形態と逆に、雌ネジ側の内周に設けた段部と雄ネジ先端部とで形成された突き合わせ端部間に配置することもできる。
【００１２】
【発明の効果】
請求項１に記載の発明によれば、バレルとツールホルダとの間に真鍮製或いはアルミニウム製の中間体を介在させる簡単な構成で、中間体の塑性変形に伴ってバレルとツールホルダとが回転方向で適正な角度となるように位置決め可能となる。よって、雌ネジ部と雄ネジ部とのネジ切りを最終角度を考慮して設定する必要がなくなり、製造工程が簡略化する。又、常に適正な角度でバレルとツールホルダとの連結が可能となるから、挿着したビットの角度によって使い勝手を損なうこともない。
請求項２に記載の発明によれば、請求項１の効果に加えて、中間体を、突き合わせ端部の全周に亘って当接可能なリング体としたことで、塑性変形するリング体が互いに対向する突き合わせ端部の全周に密着するため、バレルとツールホルダとの間のシール性も確保でき、リング体がＯリング等のシール部材として兼用可能な合理的な構成となる。
【図面の簡単な説明】
【図１】電動ハンマーの全体図である。
【図２】電動ハンマーの先端部分の断面説明図である。
【図３】電動ハンマーを前方から見た説明図である。
【図４】ツールホルダの角度が不適正な電動ハンマーを前方から見た説明図である。
【図５】締付トルクと修正可能な角度との関係を示すグラフである。
【図６】従来の電動ハンマーの先端部分の断面説明図である。
【符号の説明】
１・・電動ハンマー、４・・バレル、６・・ツールホルダ、７・・挿着孔、１１・・ツールリテーナ、１３・・雌ネジ部、１４・・先端部、１５・・雄ネジ部、１６・・座部、１７・・リング、１８・・ビット。
【図１】
0003657802.tif 000002
【図２】
0003657802.tif 000003
【図３】
0003657802.tif 000004
【図４】
0003657802.tif 000005
【図５】
0003657802.tif 000006
【図６】
0003657802.tif 000007